(57)【特許請求の範囲】
【請求項１】
テレビジョンベースの信号の一部として、クローズドキャプション情報、テレテキスト情報、テキストベースの付加的な情報のうちの少なくとも1つであるテキスト情報を受信するステップ；
前記受信されたテキスト情報を表示するステップ；
不完全なネットワーク資源アドレスに対応しかつネットワーク資源アドレスに指定されないネットワーク資源アドレスの断片を識別するために、表示された前記テキスト情報の一部を選択するユーザ入力を受信するステップ；
前記断片に少なくとも１つのテキスト文字列を加えることによって、前記受信されたテキスト情報から、ネットワークを経由してネットワーク資源にアクセスするために用いることができる有効なネットワーク資源アドレスを生成するステップ；
前記有効なネットワーク資源アドレスを用いて、ネットワーク資源にアクセスするステップ；
を有するネットワーク資源にアクセスするための方法。
【請求項２】
前記ネットワーク資源アドレスの断片をハイライトするステップ、を更に有する請求項１に記載の方法。
【請求項３】
前記ネットワーク資源アドレスの断片をポップアップメニューに表示するステップ、を更に有する請求項１に記載の方法。
【請求項４】
単一の有効なネットワーク資源アドレスだけが、前記ネットワーク資源アドレスの断片から生成され得る場合、自動的に、前記ネットワーク資源のコンテンツを要求するステップ、を更に有する請求項１に記載の方法。
【請求項５】
１または複数の有効なネットワーク資源アドレスが前記ネットワーク資源アドレスの断片から生成され得る場合、選択のために複数のネットワーク資源アドレスのリストを表示するステップ、を更に有する請求項１に記載の方法。
【請求項６】
有効なネットワーク資源アドレスが前記断片から生成されることができない場合、前記断片に加えられ得るテキスト文字列のために、インターネットが検索されるステップ、を更に有する請求項１に記載の方法。
【請求項７】
受信されたテキスト情報を表示することは、第１のモードのオペレーションとして実行され、有効なネットワーク資源アドレスに対応するネットワーク資源にアクセスすることは第２モードのオペレーションとして実行される、請求項１に記載の方法。
【請求項８】
前記有効なネットワーク資源アドレスをハイライトするステップ、を有する請求項１に記載の方法。
【請求項９】
前記生成された有効なネットワーク資源アドレスをウェブブラウザに送るステップ、を更に有する請求項１に記載の方法。
【請求項１０】
前記有効なネットワーク資源アドレスは、対応する埋め込みリンクを用いずに生成される、請求項１に記載の方法。
【請求項１１】
前記加えられるテキスト文字列は、インターネット資源と関連しているテキスト文字列の前記断片の接頭語、ドメイン名と関連したテキスト文字列を有する前記断片の追加文字、および、ネットワーク資源アドレスにアクセスするためのアドレスに対応する地理学的位置に関連するテキスト文字列、のうち少なくとも１つから選ばれる、請求項１に記載の方法。
【請求項１２】
完全なアドレスを、生成することができない場合、前記断片をウェブブラウザに転送するステップ；および
前記有効なネットワーク資源アドレスに対応する完全なアドレスを作成するために用いることができるデータのために、インターネットを経由してネットワーク資源が検索されるステップ、
を更に有する請求項１に記載の方法。
【請求項１３】
２つ以上の完全なネットワーク資源アドレスが前記断片から生成され得る場合に、有効なネットワーク資源アドレスのリストを生成するステップ；および
有効なネットワーク資源アドレスの前記リストから、ネットワーク資源アドレスを選択させるステップ、
を更に有する請求項１に記載の方法。
【請求項１４】
前記選択されたネットワーク資源アドレスをウェブブラウザに転送するステップ、を更に有する請求項１３に記載の方法。
【請求項１５】
前記受信されたテキスト情報のデータは、テレビジョンベースの信号の付加的な情報として伝送される、請求項１に記載の方法。
【請求項１６】
テレビジョンベースの信号の一部として、クローズドキャプション情報、テレテキスト情報、テキストベースの付加的な情報のうちの少なくとも1つであるテキスト情報を受信する手段；
前記受信されたテキスト情報を表示する手段；
不完全なネットワーク資源アドレスに対応しかつネットワーク資源アドレスに指定されないネットワーク資源アドレスの断片を識別するために、表示された前記テキスト情報の一部を選択するユーザ入力を受信する手段；
前記断片に少なくとも１つのテキスト文字列を加えることによって、前記受信されたテキスト情報から、ネットワークを経由してネットワーク資源にアクセスするために用いることができる有効なネットワーク資源アドレスを生成する手段；
前記有効なネットワーク資源アドレスを用いて、ネットワーク資源にアクセスする手段；
を有するネットワーク資源にアクセスするための装置。
【発明の詳細な説明】
【０００１】
本発明は、インターネットアドレス又は電子メールアドレスを探知する方法に基づく。
【０００２】
インターネットアドレス又は電子メールアドレスは、広告又は情報を含む、含まざるとに関わらず、多くのテレテキストページのコンテンツに記される。現在、アドレスは、テレテキストページの可視領域内に送信され、ユーザは一般的にアドレスを複写してインターネットのブラウザに入力しなければならない。
【０００３】
本発明は、インターネットアドレス又は電子メールアドレスを探知する単純化された方法を提供することを目的とする。上記目的は、請求項に特定される本発明の特性によって達成される。本発明の更なる利点は従属請求項に特定される。
【０００４】
可視領域及び不可視領域と、選択装置、制御装置及びリンク装置を含むテレテキストシステム内に再生される、インターネットアドレス及び電子メールアドレスを探知する本発明の方法は、可視領域内の上記アドレスが上記選択装置によって選択され、上記制御装置が選択されたアドレスを認識し、上記制御装置がアドレスのフォーマットを受容及び／又は変更し、上記リンク装置を介して上記アドレスは選択されるという事実によって識別される。
【０００５】
本発明の方法は、ユーザに、ユーザがテレテキスト上に見たインターネットアドレスを複写する必要がないという利点を与える。これによって、ユーザはより速くアクセスできるようになる。
【０００６】
本発明の方法は更に、上記制御装置が明らかなアドレス情報によってアドレスを認識することを特徴とする。
【０００７】
ユーザが選択したいアドレスをカーソル又はアドレスをハイライトさせる他の装置によって選択できない場合、システム自体によってインターネットアドレスを強調することが可能である。これはつまり、テレテキストのインターネットアドレスはユーザのために可視に再生され、ユーザは遠隔制御装置上にある認識キーによって上記アドレスを選択することができる。明らかなアドレス情報とは、例えば、「http://」、「www.」のようなインターネットアドレスを示す文字列、又は「.com」若しくは「.de」のような終わりにくる文字列、又は（スペース無しで）ドットだけによって分離されることが好適である文字列のことである。上記制御装置は上記情報を利用してハイライトすることが可能となる。ハイライトされた個所が「www」で始まり、「.com」で終わる場合、制御装置は上記のように探知されたアドレスを変換し、選択の際に使用する。
【０００８】
本発明の方法は更に、上記アドレスは可視領域に表示され、不可視領域には制御装置がアドレスを呼出すために使用するアドレス情報が含まれるという事実によって識別される。
【０００９】
インターネットアドレスの変換が省略される場合、アドレス情報を不可視領域に記憶して、そこで探知することが可能となる。これは、可視のテレテキスト情報と不可視のインターネットアドレスにリンクが存在することを示し、上記リンクは制御装置によって選択する際に使用される。
【００１０】
更に、ユーザが、ハイライト装置によってアドレスをハイライトすることが可能であり、ハイライトされたアドレスは制御装置に転送される。
【００１１】
ハイライト装置によってハイライトすることは、ユーザが必要とするアドレスの部分をユーザ自身によってハイライトすることが可能であるという利点を有する。例えば、長いインターネットアドレスのうちの、ホームページを示すアドレスの部分だけがユーザの関心である場合、規則としてホームページを示す、アドレスの始まりの部分のみをハイライトできる。上記の方法によって、ユーザはサブページを経由してホームページに達する必要がなくなる。
【００１２】
本発明の方法は更に、上記制御装置はメモリと、アドレスを記憶又は／及び引き出すためのメモリへのリンクを含むという事実によって識別される。
【００１３】
上記制御装置がメモリを含み、上記メモリにアクセスする場合、上記制御装置がテレテキストページ内のアドレスを認識すると直ぐに、アドレスがメモリに記憶されるという利点を有する。上記メモリは更に、上記制御装置によって選択されたアドレスが正確であるかを確認するためにも使用される。例えばインターネットアドレスが、完璧に特定されない場合、メモリ内のアドレスと比較することによって完全にすることが可能となる。上記メモリは、正確なインターネットアドレスを探知するという必要条件に応えるために、最初から多数のインターネットアドレスを格納することが可能である。
【００１４】
上記制御装置を用いて検索アルゴリズムを行ない、ユーザがあまりよく知らないアドレスを探知することが可能である。
【００１５】
テレテキストシステムに再生されたインターネットアドレス及び電子メールアドレスを探知する回路は、選択装置、制御装置及びリンク装置を有し、選択装置がアドレスを認識し、制御装置によって要求されると直ぐにリンク装置がリンクを設定するという事実によって識別される。
【００１６】
更に、上記回路は、制御装置がメモリ及び／又はメモリへのリンクを含むという事実によって識別される。
【００１７】
下記に、インターネットアドレス及び電子メールアドレスを探知する手段による更なる可能性が説明される。
【００１８】
インターネットアドレス及び電子メールアドレスは、下記にアドレスと呼ぶ。更にテレテキストページもページと呼ぶ。上記はマガジン番号及び１０進法のページ番号によって示される。マガジン内の対応する行は、数値によって示す。例えばｘ／５は、マガジンｘにおける行５を示す。１６進法のページ番号によって示されるテレテキストページは「ゴーストページ」と呼ばれる。
［ページに関するアドレスの場合］
ページに関するアドレスは、少なくとも一つの参照指示によってページに到達する参照指示を設定しなければならない。上記参照指示は上記ページに属すデータパケットのうちの一つに送信される。
［可視領域：ｘ／１乃至ｘ／２３］
ページの可視領域内に送信されるアドレスは、それらがアドレスであることを認識させる標識を有さない。そのようなページにおいて、アドレスを特定する識別名が検索される。アドレスの名前は、テレテキスト仕様（欧州放送連合：Interim Technical Document ＳＰＢ４９２）による文字一式の、よく知られている制限に影響を受ける。従って、＠（「at」）や〜（「ティルデ」）のような文字は全ての国別の文字一式にあるわけではない。しかし、それらをｘ／２６によって形成することが可能であり、つまり、規則として＠は（at）によって、〜は「＊」によって置換される。データ自体は７データビットあたりに１奇遇検査ビットによってプロテクトされているだけなので、送信路に沿った干渉に対して敏感である。
［不可視領域：ｘ／２７乃至ｘ／３１］
規則として、付加的なデータはハミング符号化によってプロテクトされる。可視領域においてカラー属性などを有する文字符号は、文字一式を完全にするために使用される場合がある。下記に送信を最適化させるために考えられる形態を示す。
【００１９】
アドレスを直接入力し、必要であるならば、可視領域内に表示するために行／列のアドレスを一緒に入力する。
【００２０】
別の「ゴーストページ」に送信されるアドレス表を参照する（「送信者側のアドレス」を参照）。ナビゲーション媒体（マウス、ポインター、タブストップ）が上記の入力又は参照を指し、完全なアドレスが重ねられた（自由又は接続された）ウィンドウに表示され、又は（「ページに関するアドレス」の場合）既にスクリーン上に表示されている場合、可視的に強調される。
［ｘ／２７］
あて先符号０乃至７を有する機能は、リンクを他のテレテキストページに送信するために使用される。上記機能は、上記の意味では対応するアドレスを検索するために使用される。
［ｘ／２８］
あて先符号０乃至４を有する機能が使用される。あて先符号５乃至１５を有する機能は、アドレスを示す、又はアドレスを含むために自由に特定される。
［ｘ／３０］
あて先符号０乃至３０を有する機能はマガジン８で使用される。
［ｘ／３１］
データ提供のために、パケットがマガジン１乃至３及び８において使用される。
［送信者側のアドレス］
アドレスの始まり、又は終わりの部分から呼出すことが可能なアドレスは、ページとは無関係の表に送信されて記憶されなければならない。そのような表は１６進法のページ番号で通常送信され、ユーザが直接選択することができない。
［ｘ／２８］
決められるデータｘ／２８も「ゴーストページ」への参照指示を含む場合がある。これらは（European Telecommunications Standard Instituteによって発行されたETS (European Telecommunications Standard) ３００  ７０６、Ｆ−０６９２１  Sophia Antipolisに説明される）テレテキストの表現レベル２．５のデータページのように扱うことが可能である。
［アプリケーション］
ＥＴＳ３００  ７０８における適用の場合、非テレテキストサービスは、テレテキストの送信仕様に下が手ｔ送信される。そのようなサービスは、テレテキストに無関係に管理されるアドレスを可能又は必要とする形態のアドレスを含む。
［別のアプリケーション］
インターネットへのアクセスは別のアプリケーションとして定義される。上記は、アドレスがテレテキストと無関係に管理されることを必要とする。
［現行のアプリケーション］
電子プログラムガイド（ＥＰＧ）内では、別々のＰＩ（プログラム情報）に関する短い又は長い情報内の純粋なテキスト文字として、アドレスを名づけることが可能である。（「可視領域」と比較せよ。上記は特別な文字をテレテキストのｘ／２６及びＥＰＧのＥＳＣシーケンスによって形成させるテレテキストとは異なる。）
［抽出アルゴリズム］
「可視領域」のセクションにおいて上述されたような、送信されたアドレスは特別な抽出アルゴリズムを必要とする。このアルゴリズムは、必要であれば、断流中もアドレスを認識することが可能である。上記の関連において、様々な状態に注目しなければならない。
【００２１】
数行に亘って書込まれるテキストは、次の行の第1に可能な列に続けられ、継続行における行の番号は、始まりの行の番号よりも小さい又は同等であると想定される。
【００２２】
テキストは（前景から背景まで）様々なカラーの組合わせで書込まれ、始まりの項目は同じカラーの組合わせで続けられると想定される。従って、異なるカラーを有する全ての領域及び全てのモザイクグラフィックの領域は無視されなければならない。（モザイクカラー＝テキストカラー）
［アドレス形成］
受信したデータから完全なインターネットアドレスを抽出する方法以外に、ユーザは断片からインターネットアドレスを形成することが可能である。この目的のために、ユーザは、マウスやポインターによって表示されたテキストの一部を選択することができる。
【００２３】
選択されたテキストが、例えばスペースのような、インターネットアドレスに使用できない文字を有さない場合、下記の方法で、有効なインターネットアドレスが検索される。
ａ）例えば「www.」、「ftp.」又は「gopher.」のようなインターネットのアドレスの種類を決める接頭の文字列を与える。
ｂ）例えば「.com」、「.edu」、「gov.」のようなドメイン名と呼ばれるような名前、又は、ユーザの地理学的位置に従って使用及び／又は記憶される可能性の高い、例えば「.de」、「.fr」、「.it」のような文字列を添付する。
ｃ）上記二つの方法を任意に組み合わせる。
ｄ）各ケース及び次のテキストにおいて最後に「／」を用いてテキストを漸次的に短くする。
【００２４】
各ケースにおいて、制御装置は上記のように形成されたインターネットアドレスをインターネットブラウザに転送する。アドレスが有効であると認識、即ちブラウザが誤りなくインターネットアドレスに到達し、現在のアドレスは有効なインターネットアドレスのリストに入力される。この間、ブラウザは、例えば第１に有効と認識されたインターネットアドレスのコンテンツを表示する。一つ以上のインターネットアドレスが有効であると認識された場合、ユーザに上記アドレスを含むリストから選択できるよう提示される。有効なアドレスが一つだけ検索される場合、ブラウザはこのアドレスのコンテンツを要求する。選択したテキストに対して有効なアドレスが検索できなかった場合、又はテキストにインターネットアドレスに含むことができない文字が含まれる場合、上記テキスト又はテキストの論理的に組合された部分を、基準の検索エンジン一式によって検索するコマンドとともに、上記テキストはブラウザに転送される。従って、例えば選択したテキストの各単語又は少なくとも一つの単語を含むインターネットのページが検索される。
［ナビゲーション］
ナビゲーションは下記によって可能になる。
【００２５】
テキストにおいて、明らかに読取ることが可能なアドレス又はアドレス構成素子（「アドレスの形成」を参照）は、（例えば、下線が引かれることによって）可視的に強調される。ナビゲーション媒体（例えば、マウス、ポインター又はカーソル、必要ならば、タブストップ）がアドレスの捕捉範囲に入ると、アドレスは論理的に組み合わせ可能とマークされる。このマーキングはカーソルの変更又はアドレスを挿入する（ポップアップウィンドウ又は特別なステータスバーに重ねる）ことよって行われる。ＯＫボタンによって確認する際に、選択されたアドレスはブラウザに表示され、選択又は処理される。
【００２６】
同様に、（断片として可視又は不可視の領域の）ページに含まれた全ての情報を、カーソルキー又はマウス（ポインター）によってナビゲート可能なポップアップメニュに挿入することも可能である。
【００２７】
「ＯＫ」−上記参照。
【００２８】
本発明は図を参照して多くの実施例によって下記に説明される。
【００２９】
図１は、本発明の方法のブロック図を示す。チューナＴが衛星、ケーブル又は地上波信号ＩＮを受信し、その信号はデータデコーダＤＤとカラー復調器ＦＤに送信される。上記データはライン又はバスシステムを介して、データとプログラムを含むメモリＭＥＭに送信される。更に上記データはプロセッサＰＲに送信される。上記プロセッサは得たデータを、グラフィックカードＧＫを介して受像管Ｂに送信する。上記受像管は、テレビジョンセット又はモニタとして構成される。上記プロセッサＰＲはモデムＭＤによってデータ変換を行い、上記モデムはアナログ又はデジタル電話機回路網ＴＥＬに接続される。上記プロセッサは選択装置と制御装置を含む。リンク装置は上記モデムＭＤによって実施される。
【００３０】
インターネットアドレスである文字列が受像管Ｂに表示されると、ユーザは遠隔制御装置ＦＢによってアドレスをハイライトすることができる。遠隔制御装置ＦＢは、ワイヤ及び／又はワイヤレスで他の装置に接続される。上記アドレスは、上記モデムを介して検索を開始できるような形態に上記プロセッサによって変換される。つまり、メモリＭＥＭに記憶されたプログラムがプロセッサによって背景に呼出され、インターネットアドレスのデータが上記プログラムに運ばれ、上記プログラムがモデムを動作させて検索をさせる。上記プログラムは、通常のインターネットの利用に用いられるプログラムであることが好適である。可動中のサーチルーチンが、ユーザに対して受像管上に表示されることも可能である。つまり、ユーザは、ユーザ自身がテレテキスト内で選択したアドレスがプログラムに送信されて検索機構が開始されるのを見る。アドレスが見つかると直ぐに、ページのコンテンツがユーザに表示される。コンテンツの表示は、インターネット又は電子メールのプログラムが構成された形態で行なわれることが好適である。ユーザが十分に情報を見た場合、遠隔制御装置によってテレテキスト又は完全にテレビジョンプログラムに単純に変更することによってインターネットを更にナビゲートできる。上記によって、ユーザはテレテキスト内のインターネットアドレス又は電子メールアドレスを簡単な方法で選択することが可能となり、検索の結果が直接ユーザに与えられる。
【００３１】
ユーザがアドレスをハイライトしない場合、システムは自主的にテレテキストページ内のアドレス情報を検索してハイライトし、ユーザは遠隔制御装置によって上記アドレスを検索することができる。アドレス検索と選択は、ハイライトされたアドレスの場合と同様の方法で行なわれる。
【００３２】
図２は、本発明の方法のフローチャートを示す。ユーザが遠隔制御装置によってアドレスをハイライトしない場合、プロセッサＰＲがアドレスを検索するプログラムを開始させる。
【００３３】
最初に、プログラムは明らかにアドレスを示す構成素子を探す。これは例えば、「http://」「www.」「.com」「.de」などである。上記の接頭の文字列、接尾の文字列に見合うアドレスが見つかると直ぐに、それらは記憶される。その後に、列３８の前にアドレスが終了するか、無効な文字が入っていないかが検出される。上記が当てはまる場合、検索は終了し、当てはまらない場合はサブルーチンである「検索を続行」において検索が続けられる。「検索を続行」するサブルーチンは、カラーの組合わせが始まりのアドレスと同じであるか比較する。上記が当てはまる場合は、列のコンテンツがアドレスに対して割り当てられ、当てはまらない場合は次のカラーの組合わせが検索され、列の番号が始まりのアドレスの列の番号よりも大きいかどうか確認される。列の番号が開始時のアドレスよりも大きい場合、遅くともアドレスがこの列の中で続けられるので、検索は終了する。列の番号が大きくない場合、サブルーチンが再びランする。アドレスは同じカラーを規則として連続して有するので、この方法によってアドレスを見つけることができる。つまり、アドレスがある列で始まる場合、アドレスが同じ列内で終了するか、又は上の列若しくは下の列に続けられているかを確認するために、カラーが使用される。上記は次の基準に依存する。
【００３４】
アドレスの始まりの文字が見つかった場合、アドレスは1つ下の列（即ち、より高い列の番号）に続けられ、アドレスの終わりの部分が見つかった場合、アドレスは1つ上の列（即ち、より低い列の番号）に続けられる。
【００３５】
アドレスの始まりの部分と終わりの部分が見つかった場合、アドレスは、上記始まりの部分、終わりの部分及び間にある情報を取り込み、更にカラー情報によってアドレスの全体を認識することが可能となる。
【図面の簡単な説明】
【図１】  本発明の方法を示すブロック図である。
【図２】  本発明の方法を示すフローチャートである。
【図１】
0004951169.tif 000002
【図２】
0004951169.tif 000003